(57)【要約】【課題】上記先願よりもコスト安に製作でき、しかも閉塞体の開き角が先願よりも小さくなって収納体引き出し時の威圧感も軽減することになる画期的な棚配設用収納装置を提供すること。【解決手段】収納体２を棚１内から前側下方へ引き出し配設する棚配設用収納装置において、この棚１の上部に閉塞体５を起伏回動自在に枢着してこの閉塞体５で収納体２の前面開口部２Ａを閉塞し得るように構成し、この閉塞体５の上部枢着部６は棚１の前方外側へ向かってスライド自在に設け、この閉塞体５の内面に当接してこの閉塞体５を棚１前方へ押動せしめる押圧部８を前記収納体２に設けると共に、この押圧部８は閉塞体５の内面に沿って摺動自在に設ける。【選択図】　　　　図７
2004033605.tif 000002
【特許請求の範囲】
【請求項１】
前面開放型の棚内に配設される収納体の左右側部に夫々支持腕体を枢着し、この各支持腕体の先端部を棚の内面に設けた取付部に枢着し、前記支持腕体の回動によりこの収納体を棚内からこの棚底面よりも前側下方へ下がった位置に引き出し配設できるように構成し、この棚の上部に閉塞体を起伏回動自在に枢着してこの閉塞体で少なくとも棚内に配設された収納体の前面開口部を閉塞し得るように構成し、この閉塞体の上部枢着部はスライドガイドに沿って棚の前方外側へ向かってスライド自在に設け、この閉塞体の内面に当接してこの閉塞体を棚前方へ押動せしめる押圧部を前記収納体に設けると共に、この押圧部は閉塞体の内面に沿って摺動自在に設けて、この収納体を棚内から引き出すと、押圧部が閉塞体を棚前方へ押動することで閉塞体の上部枢着部がスライドガイドに沿って棚前方外側へスライド移動した後、収納体が棚の前側下方へ引き出されるにつれて押圧部が閉塞体の内面を摺動しながら閉塞体の下部を上方へ起動回動するように押動して、閉塞体が収納体の引き出しの妨げとならない位置にまで退避するように構成したことを特徴とする棚配設用収納装置。
【請求項２】
前記押圧部は、前記収納体の前方側へ突出状態に設け、この収納体を前記棚内から引き出すと、この押圧部が閉塞体を棚前方へ押動して閉塞体の上部枢着部がスライドガイドに沿って棚前方外側へスライド移動し、収納体が前側下方へ引き出されるにつれて前記押圧部が閉塞体の内面を下方へ向かって摺動しながら閉塞体の下部を上方へ起動回動するように押動する構成としたことを特徴とする請求項１記載の棚配設用収納装置。
【請求項３】
前記押圧部に回転ローラを設けて、この回転ローラが前記閉塞体の内面を摺動し得るように構成したことを特徴とする請求項１，２のいずれか１項に記載の棚配設用収納装置。
【請求項４】
前記棚の底面の前方側であって、少なくとも、前記支持腕体の下方への回動軌跡となる部位を切欠形成し、この底部切欠部から前記各支持腕体が棚底面の下方へ回動露出し得るように構成したことを特徴とする請求項１〜３のいずれか１項に記載の棚配設用収納装置。
【請求項５】
前記押圧部を、前記収納体に対して上方へスライド移動せしめるスライド手段を設け、収納体が棚の下方の低い位置に引き出されることで押圧部が前記閉塞体内面の下端部を越えて下方へ摺動しようとした際、この押圧部の摺動を阻止する摺動阻止手段を閉塞体に設け、この摺動阻止手段によって押圧部の摺動が阻止された後も引き続き収納体が下方へ引き出されると、前記スライド手段を介し押圧部が上昇スライド移動して押圧部と閉塞体内面との当接状態が維持され、この押圧部によって閉塞体が収納体の引き出しの妨げとならない位置にまで退避した状態が維持されるように構成したことを特徴とする請求項１〜４のいずれか１項に記載の棚配設用収納装置。
【請求項６】
前記棚の上部に、前記閉塞体が前記収納体の前面開口部を閉塞しようとする方向に付勢する弾性体を設け、この弾性体の付勢力により閉塞体内面と前記押圧部とが常に当接状態に維持されるように構成したことを特徴とする請求項１〜５のいずれか１項に記載の棚配設用収納装置。
【発明の詳細な説明】
【０００１】
【発明の属する技術分野】
本発明は、キッチンの吊戸棚内に備え付けられる棚配設用収納装置に関するものである。
【０００２】
【従来の技術及び発明が解決しようとする課題】
出願人は、この種の棚配設用収納装置として特開２００２−１４２８８０号を既に出願している。
【０００３】
この先願について簡単に説明すると、前面開放型の棚内に配設される収納体の左右側部に夫々支持腕体を枢着し、この各支持腕体の先端部を棚の内面に設けた取付部に枢着し、前記支持腕体の回動によりこの収納体を棚内からこの棚底面よりも前側下方へ下がった位置に引き出し配設できるように構成し、この棚の上部に閉塞体を起伏回動自在に枢着してこの閉塞体で少なくとも棚内に配設された収納体の前面開口部を閉塞し得るように構成し、この閉塞体の上部枢着部はスライドガイドに沿って棚の前方外側へ向かってスライド自在に設け、閉塞体の下部は長さのある連結腕体を介して前記収納体の上部と連結して、この収納体を棚内から引き出すと、この閉塞体の上部枢着部がスライドガイドに沿って棚前方外側へスライド移動した後、閉塞体の下部が上方へ起動回動して閉塞体が収納体の引き出しの妨げとならない位置にまで退避するように構成したものである。
【０００４】
そして、この先願によれば、収納体の棚からの引き出し入れ作動に応じて自動的に閉塞体が開閉する非常に便利な棚配設用収納装置となり、しかも収納体の引き出しに際しては上記したように閉塞体が棚の前方外側へスライド移動した後、この閉塞体の下部が上方へ起動回動するから、閉塞体が収納体の引き出しの妨げとならない棚前方外側位置にまで確実に回動退避することになり、これにより閉塞体が収納体の出し入れの妨げになることがなく、スムーズな引き出し入れ作動が行われることになり、その上、閉塞体の上部枢着部が棚前方へスライドする構造も、例えば単に棚内面にスライドガイドを設けこのスライドガイドにスライド体をスライド装着してこのスライド体に閉塞体の上部を枢着するような構造で良いため、簡易に設計実現可能で安価な製品を提供できることになるという作用・効果を奏するものであった。
【０００５】
本発明は、この先願の改良出願に係るもので、閉塞体の下部と収納体の上部とを連結する長い連結腕体が不要な構造とすることで製作コストを削減し、且つ閉塞体の開き角が先願よりも小さくなって収納体引き出し時の威圧感が軽減することになる画期的な棚配設用収納装置を提供するものである。
【０００６】
【課題を解決するための手段】
添付図面を参照して本発明の要旨を説明する。
【０００７】
前面開放型の棚１内に配設される収納体２の左右側部に夫々支持腕体３を枢着し、この各支持腕体３の先端部を棚１の内面に設けた取付部４に枢着し、前記支持腕体３の回動によりこの収納体２を棚１内からこの棚１底面よりも前側下方へ下がった位置に引き出し配設できるように構成し、この棚１の上部に閉塞体５を起伏回動自在に枢着してこの閉塞体５で少なくとも棚１内に配設された収納体２の前面開口部２Ａを閉塞し得るように構成し、この閉塞体５の上部枢着部６はスライドガイド７に沿って棚１の前方外側へ向かってスライド自在に設け、この閉塞体５の内面に当接してこの閉塞体５を棚１前方へ押動せしめる押圧部８を前記収納体２に設けると共に、この押圧部８は閉塞体５の内面に沿って摺動自在に設けて、この収納体２を棚１内から引き出すと、押圧部８が閉塞体５を棚１前方へ押動することで閉塞体５の上部枢着部６がスライドガイド７に沿って棚１前方外側へスライド移動した後、収納体２が棚１の前側下方へ引き出されるにつれて押圧部８が閉塞体５の内面を摺動しながら閉塞体５の下部を上方へ起動回動するように押動して、閉塞体５が収納体２の引き出しの妨げとならない位置にまで退避するように構成したことを特徴とする棚配設用収納装置に係るものである。
【０００８】
また、前記押圧部８は、前記収納体２の前方側へ突出状態に設け、この収納体２を前記棚１内から引き出すと、この押圧部８が閉塞体５を棚１前方へ押動して閉塞体５の上部枢着部６がスライドガイド７に沿って棚１前方外側へスライド移動し、収納体２が前側下方へ引き出されるにつれて前記押圧部８が閉塞体５の内面を下方へ向かって摺動しながら閉塞体５の下部を上方へ起動回動するように押動する構成としたことを特徴とする請求項１記載の棚配設用収納装置に係るものである。
【０００９】
また、前記押圧部８に回転ローラ９を設けて、この回転ローラ９が前記閉塞体５の内面を摺動し得るように構成したことを特徴とする請求項１，２のいずれか１項に記載の棚配設用収納装置に係るものである。
【００１０】
また、前記棚１の底面の前方側であって、少なくとも、前記支持腕体３の下方への回動軌跡となる部位を切欠形成し、この底部切欠部１Ａから前記各支持腕体３が棚１底面の下方へ回動露出し得るように構成したことを特徴とする請求項１〜３のいずれか１項に記載の棚配設用収納装置に係るものである。
【００１１】
また、前記押圧部８を、前記収納体２に対して上方へスライド移動せしめるスライド手段１０を設け、収納体２が棚１の下方の低い位置に引き出されることで押圧部８が前記閉塞体５内面の下端部を越えて下方へ摺動しようとした際、この押圧部８の摺動を阻止する摺動阻止手段１１を閉塞体５に設け、この摺動阻止手段１１によって押圧部８の摺動が阻止された後も引き続き収納体２が下方へ引き出されると、前記スライド手段１０を介し押圧部８が上昇スライド移動して押圧部８と閉塞体５内面との当接状態が維持され、この押圧部８によって閉塞体５が収納体２の引き出しの妨げとならない位置にまで退避した状態が維持されるように構成したことを特徴とする請求項１〜４のいずれか１項に記載の棚配設用収納装置に係るものである。
【００１２】
また、前記棚１の上部に、前記閉塞体５が前記収納体２の前面開口部２Ａを閉塞しようとする方向に付勢する弾性体１２を設け、この弾性体１２の付勢力により閉塞体５内面と前記押圧部８とが常に当接状態に維持されるように構成したことを特徴とする請求項１〜５のいずれか１項に記載の棚配設用収納装置に係るものである。
【００１３】
【発明の実施の形態】
好適と考える本発明の実施の形態（発明をどのように実施するか）を、図面に基づいてその作用効果を示して簡単に説明する。
【００１４】
収納体２を棚１内へ収納した状態では、少なくとも収納体２の前面開口部２Ａは閉塞体５によって閉塞されており、収納体２は棚１外へは露出しない状態となる。
【００１５】
この収納体２を棚１内から引き出すと、押圧部８が少なくとも収納体２の前面開口部２Ａを閉塞している閉塞体５を棚１の前方へ押動し、この閉塞体５（の上部枢着部６）がスライドガイド７に沿って棚１の前方へ外側へスライド移動した後、収納体２が棚１の前側下方に引き出されるにつれて押圧部８が閉塞体５の内面を摺動しながら閉塞体５の下部を上方へ起動回動するように押圧し、これにより閉塞体５が収納体２の引き出しの妨げとならない位置にまで回動退避する。
【００１６】
そして、収納体２の前面開口部２Ａ（棚１の前面開口部１Ｂ）が開放すると共に、収納体２が棚１底面よりも前側下方へ下がった位置に引き出されることになる。
【００１７】
従って、収納体２の棚１からの引き出し作動に応じて自動的に閉塞体５が開放する非常に便利な棚配設用収納装置となり、しかも収納体２の引き出しに際しては上記したように閉塞体５が棚１の前方外側へスライド移動した後、閉塞体５が収納体２の引き出しの妨げとならない棚１前方外側位置にまで確実に回動退避するから、閉塞体５が収納体２の出し入れの妨げになることがなく、スムーズな引き出し入れ作動が行われることになる。
【００１８】
また、本発明は、上記先願のように、閉塞体５の下部と収納体２の上部とを長い連結腕体で連結する構成でなく、単に収納体２に設けた押圧部８で閉塞体５を押圧して閉塞体５を棚１の前方外側へ回動退避させる構成のため、連結腕体を要する先願よりも製作コスト安となり、しかも、長さのある連結腕体によって閉塞体を回動退避させる先願構造では、閉塞体の下部が大きく前方外側へ開いてしまうためにユーザーに威圧感を与えてしまっていたが、本発明では、このような長い連結腕体を要しないために回動退避する閉塞体５の前方外側への開き角度が小さく、先願に比して引き出し配設時の威圧感を軽減できることになる。
【００１９】
また、例えば、前記棚１の上部に、前記閉塞体５が前記収納体２の前面開口部２Ａを閉塞しようとする方向に付勢する弾性体１２を設け、この弾性体１２の付勢力により閉塞体５内面と前記押圧部８とが常に当接状態に維持されるように構成すれば、引き出した収納体２を棚１内に収納したい場合（元の収納状態に戻したい場合）に、収納体２を上方の棚１内へ押し戻すと、これに伴って閉塞体５も棚１の方へスライドし、この閉塞体５が収納体２の前面開口部２Ａを閉塞する。
【００２０】
即ち、収納体２の押し入れ作動に際しても自動的に閉塞体５が収納体２の前面開口部２Ａを閉塞するように作動することになるため、一層実用的となる。
【００２１】
また、例えば、前記棚１の底面の前方側であって、少なくとも、前記支持腕体３の下方への回動軌跡上に存する部位を切欠形成し、この底部切欠部１Ａから前記各支持腕体３が棚１底面の下方へ回動露出し得るように構成すれば、引き出した収納体２が先願構造に比して低く且つ奥まった位置に配設されることになるため、この収納体２による引き出し時の威圧感が小さく、前記閉塞体５開き時の威圧感のなさとも相まって一層実用的となる。
【００２２】
【実施例】
本発明の具体的な実施例について図面に基づいて説明する。
【００２３】
本実施例の棚１は、正面から見て四角形状を呈する前面開放型の棚１（吊戸棚）を採用している。
【００２４】
この棚１内に配設する収納体２は、前面及び上面開放型の方形箱状体に構成し、この箱状の収納体２の前側下部に引き出し用把手１３を突設している。
【００２５】
また、この収納体２の左右夫々の側面部に、片側前後二体ずつ計四体の支持腕体３を枢着し、この各支持腕体３の先端部を棚１内の底面左右部に設けた取付部４に枢着している。
【００２６】
更に説明すると、この各支持腕体３の回動により、棚１内の底面左右部に設けた取付部４に対し収納体２が支持腕体３を介して平行運動する平行リンク機構１４を構成し、棚１内から収納体２が角度を変えずにこの棚１底面よりも前側下方へ下がった位置に引き出し配設されるように構成している。
【００２７】
また、本実施例では、詳しく図示していないが、バネやダンパー装置などを用いて、収納体２を引き出しする際の前記支持腕体３の回動作動に抵抗を付与する構成とし、これにより引き出し作動をやや重く（遅く）して収納体２が勢い良く飛び出すことを防止している。
【００２８】
本実施例では、この棚１の上部に閉塞体５を起伏回動自在に枢着してこの閉塞体５で棚１の前面開口部１Ｂ並びに収納体２の前面開口部２Ａを閉塞し得るように構成している。
【００２９】
閉塞体５は、棚１の前面開口部１Ｂの全部を閉塞し得る大きさの方形板に構成している。
【００３０】
更に説明すると、棚１の前面開口部１Ｂの全部を閉塞し得る大きさの方形枠５Ａの一側に、外側前面板となるガラス板や樹脂板などの透明板５Ｂを重合して方形板状の閉塞体５を構成している。
【００３１】
また、この閉塞体５上部の棚１に対する上部枢着部６は、スライドガイド７に沿って棚１の前方へスライド自在に設けている。
【００３２】
具体的に説明すると、詳しい図示は省略しているが、棚１内の上部左右側面部に夫々長さのある断面コ字状の前記スライドガイド７を水平に設置固定すると共に、この左右夫々のスライドガイド７に対して伸縮スライド調整可能な長さのあるスライド体１５を嵌合装着して、このスライド体１５を棚１前方へ向かってスライド移動し得るように設けている。
【００３３】
そして、この左右夫々のスライド体１５のスライド先端部に、前記閉塞体５の上部左右部を枢着することで、この閉塞体５の上部枢着部６をスライドガイド７に沿って棚１の前方へ向かってスライド自在に設けている。
【００３４】
即ち、本実施例では、閉塞体５の上部を、棚１の上部に設けた上記スライド構造を介して起伏回動自在に枢着した構成としている。
【００３５】
また、この上部枢着部６のスライド構造は簡易に設計実現可能な構成であり、量産性に秀れ安価に構成可能となる。
【００３６】
また、本実施例では、このスライドガイド７に対するスライド体１５の前方スライド移動によって、閉塞体５の上部枢着部６が棚１の前方外側位置であって、収納体２の出入に際してこの閉塞体５の上部が収納体２の前側上部に接触しない（邪魔にならない）位置にまで移動するようにスライドガイド７に対するスライド体１５のスライド範囲を設定構成している。
【００３７】
本実施例では、前記収納体２に、前記閉塞体５を棚１前方へ押動せしめる押圧部８を設けている。
【００３８】
具体的に説明すると、収納体２の上部左右に夫々逆Ｌ字状を呈する取付板材１７を付設し、この取付板材１７上部の水平突出する先端部分を前記押圧部８とすると共に、この押圧部８が収納体２の前面部よりも前方へ突出するように構成している。また、この左右の押圧部８は、閉塞板５内面の前記方形枠５Ａの左右枠部分を押圧する構成とし、これにより外側前面の透明板５Ｂを傷めてしまうことを防止している。
【００３９】
また、この押圧部８は、閉塞体５の内面（左右の枠部分）に沿って摺動自在に設けている。
【００４０】
更に詳しくは、押圧部８に回転ローラ９を軸着し、この回転ローラ９が閉塞体５の内面（方形枠５Ａの左右の枠部分）に当接することで、回転ローラ９を介し押圧部８が上下方向に摺動し得るように構成している。
【００４１】
また、本実施例では、前記棚１の上部に、閉塞体５が収納体２の前面開口部２Ａを閉塞しようとする方向に付勢する弾性体１２を設け、この弾性体１２の付勢力により閉塞体５内面と前記押圧部８とが常に当接状態に維持されるように構成している。
【００４２】
具体的に説明すると、前記上部枢着部６近傍の前記スライド体１５の先端部と、棚１内の左右側面部の上部後側部位との間に抗張弾性を有するコイルバネ１２を架設状態に設けている。
【００４３】
従って、この弾性体１２によって閉塞体５内面と前記押圧部８とが常に当接状態に維持されるから、引き出した収納体２を棚１内に押し入れる際には、閉塞体５も自動的に棚１の前面開口部１Ｂ並びに収納体２の前面開口部２Ａを閉塞することになり、また、閉塞状態の閉塞体５が勝手に棚１前方へスライド移動するようなことも確実に防止されて、この閉塞体５で棚１の前面開口部１Ｂを閉塞した状態が確実に維持されることになる構成としている。
【００４４】
また、本実施例では、前記棚１の底面の前方側であって、前記支持腕体３の下方への回動軌跡となる部位を切欠形成し、この底部切欠部１Ａから前記各支持腕体３が棚１底面の下方へ回動露出し得るように構成している。
【００４５】
具体的に説明すると、底部切欠部１Ａは、棚１底面の中間部よりやや後方側位置から前側を切欠して構成しているもので、これによりこの前側の底部切欠部１Ａから下方へ回動した支持腕体３が棚１底面より下方へ露出することとなって、収納体２が上記先願構造よりも低い位置に、且つ棚１が設置される壁面方向へ奥まった位置に引き出し配設されるように構成している。
【００４６】
従って、閉塞体５や収納体２が大きく前方へ飛び出すような構造であると、これらがユーザーに対して威圧感を与えることになってしまうが、本実施例では収納体２が先願よりも低い位置であって、且つ棚１が設置される壁面方向へ奥まった位置に引き出されることになり、また、閉塞体５も収納体２の前面部と略同じ位置までしか開かないために、収納体２も閉塞体５もユーザーに威圧感を与える程棚１前方へ飛び出すことがなく、先願に比して引き出し時の威圧感は小さい（図６参照）。
【００４７】
尚、棚１の底面を全部切欠して底部切欠部１Ａを形成すると、更に収納体２を下方へ且つ壁側へ奥まった位置に引き出し配設することができるが、底面がなくなった棚１は強度が著しく低下してしまうために好ましくなく、本実施例のように棚１底面が残るようにして切欠する方が棚１の強度を保てるために好ましい。また、棚１底面前方側の、支持腕体３の下方への回動軌跡上に存する部位だけを部分的に切欠形成しても良く、この場合も棚１の強度を保つことができる。
【００４８】
また、本実施例では、棚１内に収納体２が収納された状態では、この底部切欠部１Ａから収納体２の前側下部に突設した前記引き出し用把手１３が棚１底面よりも下方へ垂下突出するように構成している。
【００４９】
また、本実施例では、前記押圧部８を、前記収納体２に対して上方へスライド移動せしめるスライド手段１０を設けている。
【００５０】
このスライド手段１０を具体的に説明すると、前記押圧部８を有する逆Ｌ字型の取付板材１７は、下部を下方へ長く垂下する形状に形成し、単にこの垂下部分を収納体２に対し上下スライド移動可能となるようにガイド具１８により付設した構成としている。
【００５１】
また、本実施例では、収納体２が棚１下方の低い位置に引き出されることで押圧部８が前記閉塞体５内面の下端部を越えて下方へ摺動しようとした際、この押圧部８の摺動を阻止する摺動阻止手段１１を閉塞体５に設けている。
【００５２】
この摺動阻止手段１１を具体的に説明すると、閉塞体５内面の左右枠部分の下端部に、夫々前記押圧部８の回転ローラ９に当接係止するＬ字形の係止片１６を突設し、この係止片１６に回転ローラ９が当接係止することで、回転ローラ９は閉塞体５内面の下端部を超えて下方へ摺動することが阻止される構成としている。
【００５３】
次に、本実施例の作動を具体的に説明する。
【００５４】
図１，図２に示す収納状態から、引き出し用把手１３をつかんで収納体２を棚１内から引き出すと、図３に示すように最初のうちは収納体２が略水平方向に前進してきて、押圧部８が閉塞体５を押圧し、これによりこの閉塞体５もスライドガイド７とスライド体１５とのスライド構造を介して棚１前方へスライド移動する。
【００５５】
続いて、図４，図５に示すように、更にこの収納体２が前側下方へ引き出されると、この動作に伴って押圧部８（回転ローラ９）が閉塞体５の内面を下方へ向かって摺動しながら閉塞体５の下部を上方へ起動回動するように押動するため、閉塞体５は上部枢着部６を支点に傾動し斜設状態となる。
【００５６】
また、この際、閉塞体５が押圧部８に押圧されることで収納体２の引き出しの妨げとならない棚１前方側位置にまで確実に回動退避することになり、スムーズな引き出し作動が行われる。
【００５７】
そして、図６，図７に示すように、収納体２が棚１底面よりも前側下方へ下がった位置に完全に引き出されると、閉塞体５は収納体２の前面開口部２Ａよりも上方位置に斜設状態となって配置し、収納体２の前面開口部２Ａが完全に開放することになる。
【００５８】
また、本実施例では、棚１の底面を切欠したために、この底部切欠部１Ａから各支持腕体３が棚１底面より下方へと回動露出することになり、これによって引き出した収納体２が棚１底面よりも低い位置にまで引き出される。
【００５９】
この際、収納体２が棚１の下方の低い位置に引き出されることで押圧部８が前記閉塞体５内面の下端部を越えて下方へ摺動しようとするが、押圧部８（回転ローラ９）が係止片１６に当接係止することでこのことは阻止される（図５参照）。そして、この摺動阻止手段１１によって押圧部８の摺動が阻止された後も引き続き収納体２が下方へ引き出されると、前記スライド手段１０を介し押圧部８が上昇スライド移動することで押圧部８と閉塞体５内面との当接状態が維持され、この押圧部８によって閉塞体５が収納体２の引き出しの妨げとならない位置にまで退避した状態が維持されることになる（図６参照）。
【００６０】
逆に、この引き出した収納体２を棚１内に収納したい場合（元の収納状態に戻したい場合）には、収納体２を上方の棚１内へ押し戻すと、前記弾性体１２によって押圧部８が閉塞体５内面に当接するように付勢されているため、押圧部８（回転ローラ９）が閉塞体５内面の下部から上方へ向かって摺動し、閉塞体５が徐々に垂直状態に近付いていき、弾性体１２の付勢力により閉塞体５は棚１の前面開口部１Ｂ方向にスライド移動してこの前面開口部１Ｂ及び収納体２の前面開口部２Ａを閉塞することになる。
【００６１】
従って、収納体２の棚１からの引き出し入れ作動に応じて自動的に閉塞体５が開閉することになる。
【００６２】
尚、本発明は本実施例に限られるものではなく、各構成要件の具体的構成は適宜設計変更可能である。
【００６３】
【発明の効果】
本発明は上述のように構成したから、上記先願と同様に収納体の棚からの引き出し作動に応じて自動的に閉塞体が開放することになり、また、収納体の引き出しに際しては、閉塞体が収納体の引き出しの妨げとならない棚前方外側位置にまで確実に回動退避するために、閉塞体が収納体の出し入れの妨げとならずスムーズな引き出し入れ作動が行われることになり、しかも、閉塞体の下部と収納体の上部とを長い連結腕体で連結する構成でなく、単に収納体に設けた押圧部で閉塞体の内面を押圧して閉塞体を回動退避させる構成のために連結腕体を要する先願よりも製作コスト安となり、その上、長さのある連結腕体によって閉塞体を回動退避させる先願構造では、閉塞体の下部が大きく前方外側へ開いてしまうためにユーザーに威圧感を与えてしまっていたが、本発明では、長い連結腕体を要しないために回動退避する閉塞体の前方外側への開き角度が小さく、上記先願い比して引き出し配設時の威圧感を軽減できることになるなど、極めて実用性に秀れた画期的な棚配設用収納装置となる。
【００６４】
また、請求項２記載の発明においては、前記作用効果が確実に発揮される一層実用性に秀れた構成の棚配設用収納装置となる。
【００６５】
また、請求項３記載の発明においては、押圧部の閉塞体内面に対する摺動構造を簡易構成により容易に設計実現可能となる一層実用性に秀れた構成の棚配設用収納装置となる。
【００６６】
また、請求項４記載の発明においては、引き出した収納体がユーザーの目の前に大きく飛び出した状態で引き出されることなく、先願構造に比して低く且つ奥まった位置に引き出し配設されるために、引き出し時の威圧感が小さい一層実用性に秀れた棚配設用収納装置となる。
【００６７】
また、請求項５記載の発明においては、例えば、請求項４記載の発明のように収納体が低い位置にまで引き出されるように構成した場合においても、押圧部が閉塞体内面を超えて摺動してしまうことが確実に阻止されることになり、押圧部によって閉塞体が収納体の引き出しの妨げとならない位置にまで退避した状態が確実に維持される極めて実用性に秀れた棚配設用収納装置となる。
【００６８】
また、請求項６記載の発明においては、引き出した収納体を棚内に押し戻す際にも自動的に閉塞体が収納体の前面開口部を閉塞することになる一層実用性に秀れた構成の棚配設用収納装置となる。
【図面の簡単な説明】
【図１】本実施例の収納状態を示す斜視図である。
【図２】図１の切欠側面図である。
【図３】図２の状態から、収納体を棚の前方へ引き出した状態を示す切欠側面図である。
【図４】図３の状態から、更に収納体を棚の前方へ引き出した状態を示す切欠側面図である。
【図５】図４の状態から、更に収納体を棚の前方へ引き出した状態を示す切欠側面図である。
【図６】図５の状態から、更に収納体を棚の前方へ引き出し、収納体を棚底面よりも前側下方へ下がった位置に引き出し配設した状態を示す切欠側面図である。
【図７】図６の斜視図である。
【符号の説明】
１　棚
１Ａ　底部切欠部
２　収納体
２Ａ　前面開口部
３　支持腕体
４　取付部
５　閉塞体
６　上部枢着部
７　スライドガイド
８　押圧部
９　回転ローラ
１０　スライド手段
１１　摺動阻止手段
１２　弾性体
【図１】
2004033605.tif 000003
【図２】
2004033605.tif 000004
【図３】
2004033605.tif 000005
【図４】
2004033605.tif 000006
【図５】
2004033605.tif 000007
【図６】
2004033605.tif 000008
【図７】
2004033605.tif 000009